(57)【特許請求の範囲】
【請求項１】
透明板を嵌め込んだ矩形状の枠体に表示シートを入れて裏蓋で閉じ、該枠体の窓から該透明板を介して該表示シートを掲示するものであって、該表示シートの表面側に窓枠、裏面側に多数の突条を点在させた通気シートを設けると共に、該表示シートの裏面側に該通気シートの突条によって形成される流通路に連通する連通部として、該枠体の周面の各辺にそれぞれ複数の貫通孔を設けたことを特徴とする額縁。
【発明の詳細な説明】
【技術分野】
【０００１】
本発明は、写真、印刷物、書、絵画、などの表示シートを飾る額縁の改良に関するものである。
【背景技術】
【０００２】
額縁は、ガラス板を嵌め込んだ矩形状の枠体に写真等を入れ裏蓋で閉じる構造が一般的であり、写真等を飾るための手段として広く利用されている。また、額縁には写真等の表示シートを単に飾るために用いるだけでなく、表示シートの体裁を高めたり、表示シートの品質を保持する機能も求められている。
【０００３】
額縁に入れた表示シートの品質を保持する手段として、例えば特許文献１に示すものがある。特許文献１に開示された額縁は、密閉構造とした本体に不活性ガスと水蒸気を封入することにより、表示シートの酸化防止と湿度の保持を図る構造としている。
【特許文献１】特開平１１−１０３９８９号
【発明の開示】
【発明が解決しようとする課題】
【０００４】
表示シートは、温度や湿度、塵埃、煤煙、酸化など様々な要因により、変色、ひび割れ、剥離、黴の発生など経年による劣化が進行することは明らかである。これらの要因を完全に防止するには、特許文献１のような額縁を利用することが有用であるものの、実際問題としてかなり高価なものや大切な書や絵画等の表示シートにしか適用することができない。つまり、このような構造の額縁は相当高価であることと、不活性ガス等の補充、密閉構造であるが故にシール部材の劣化なども考慮する必要があり、多大な費用と手間を費やすことになるためである。
【０００５】
一般的に表示シートを額縁に入れて飾る場合においては、ある程度の経年変化は容認しているのが実情である。室内に額縁に入れて掲示されている表示シートが自身の変色等で変化する過程は、年代を重ねていることを表す上でむしろ歓迎すべき点でもある。
しかしながら、従来の一般的な額縁では、結露などによってカビが発生するなどの劣化が妨げられず、上記の変質とは異なって汚さが目立ち額縁に入れて飾るという本来の機能を阻害する結果となっていた。
【０００６】
従来の一般的な額縁においては、何等気密性について考慮されていないものの、表示シートはガラス板と裏蓋に挟み込まれて、少なくともその裏面側が裏蓋や間挿材に密着している状態にある。このため、額縁自体が湿気や結露など劣化に大きく影響する環境を作り出し易いことと、表示シートがその影響を最も受けやすい状態におかれていることが大きな要因であると考えられる。
【０００７】
特に、近時インクジェットプリンタによる写真プリントが広く普及しており、高画質のデジタルプリントを得ることができる。インクジェットプリンタに用いられるインクについては、染料インクと顔料インクとがあり、階調再現性や色再現性の点で染料インクが優れているが、耐光性など保存性の面で顔料インクが有利である。
しかしながら、顔料インクは業務用のインクジェットプリンタに広く用いられているものの、自己分散型カーボンなどの水性であるため、湿気や結露などによる影響を受けやすく画質の劣化に至ることがある。また、染料インクはインクヘッドの目詰まりを防止する保湿剤（ジエチレングリコールなど）等様々な化合物が添加されており、額縁に入れる迄に相当長い時間乾燥させなければならない必要があり、かなりの手間と効率の低下を招く問題を有していた。
【課題を解決するための手段】
【０００８】
そこで本発明者は上記課題に鑑み鋭意研究した結果、本発明を成し得たものであり、その特徴とするところは、枠体に嵌め込んだ透明板と裏蓋との間に表示シートを介在させることにより、該枠体の窓から該透明板を介して該表示シートを掲示するものであって、該表示シートの表面側に窓枠、裏面側に多数の突条を点在させた通気シートを設けると共に、該表示シートの裏面側に該通気シートの突条によって形成される流通路に連通する連通部を、周面と背面の少なくともいずれかに設けたことにある。
【０００９】
本明細書中でいう「枠体」とは、額縁本体を構成するもので、内部に表示シートを保持することにより、該表示シートを掲示するために供する部材をいう。枠体には、ガラスやプラスチックなどの透明板を嵌め込み、裏蓋との間に表示シートを介在させて保持する。
【００１０】
「表示シート」とは、額縁に入れることによって飾るもので、写真、書、絵画、印刷物、賞状、免許証や許可書などの紙類の他、布、木、金属なども含むものとする。
【００１１】
「通気シート」とは、表示シートの裏面側に配する部材であって、該表示シートに裏面側に空気の流路を形成するものをいう。流路の形成は、通気シートの少なくとも一面側に多数の突条を点在させることによって行う。例えば、気泡シート緩衝材（エアクッション）、シート本体にゴムやプラスチックなどの突条をコーティングした部材などである。構造や材質は、特に限定するものではないが、高さが約０．３mmから５mm、径が約φ２０mm以下の突条を多数点在させることで連続した流路を形成するものであればよい。
【００１２】
表示シートの裏面側に通気シートを配することによって接触面積を小さくし、同時に空気の流路を形成する構造としているが、本発明においては、該表示シートの表面側に窓枠を配することによって、透明板に直接接しないようにしている。窓枠は、表示シートの要部を露出させるため中央部をくり抜いた構造のプラスチックや厚紙などで形成した部材である。
【００１３】
「連通部」とは、表示シートと通気シートの間に形成した空気の流通路を大気に開放させるための流路であって、額縁に設ける貫通孔や切欠などをいう。貫通孔は枠体の周面や背面側に設ける孔であり、切欠は枠体や裏蓋の一部を切り欠くことによって形成する。裏蓋に切欠を設ける場合は、これに対応する位置の通気シートにも切欠を設けることによって連通させる。
【発明の効果】
【００１４】
本発明に係る額縁は、多数の突条を点在させた通気シートを、表示シートの裏面側に配することによって空気の流通路を形成したことにより、額縁内部の換気を図ることができ、表示シートに対するカビ等の発生を防止することができる。
【００１５】
本発明における額縁の構造は、内部に空気の流通路を形成して空気の循環を図ることを目的としていることから、密閉構造を必要とすることなく簡単な構造で安価に提供することができる。また、特別な維持管理も必要とせず、従来の一般的な額縁と同様に扱うことが可能となる。特に、インクジェットプリンタでプリントした写真、絵や書など完成した直後の表示シートを、直ぐに額縁に入れても乾燥を促進して変色や変質を生じさせないなど極めて有益な効果を有するものである。
【発明を実施するための最良の形態】
【００１６】
本発明に係る額縁は、ほとんど密閉された状態におかれてしまうことを余儀なくされる表示シートの環境改善を図ることで上記課題を解決した。
【実施例１】
【００１７】
図１は、本発明に係る額縁１の一例を示すもので、枠体２と該枠体２に嵌め込んだ透明板３、窓枠４、表示シート５、通気シート６、発泡プラスチック製の間挿材７、裏蓋８より構成している。枠体２には、周面の両側に１個ずつ、下面に２個の貫通孔より形成した連通部２１を設けている。
【００１８】
連通部２１は、額縁１の内部を周辺の雰囲気に連通させるもので、図２のように下部の連通部２１から入った空気が上部の連通部２１から出て、額縁１内部に空気を流通させる。この連通部２１を図３のように通気シート６の多数の突条６１と表示シート５との間に形成した流路に連通させることにより、該表示シート５部分に湿気等がこもることなく、常に新鮮な空気に曝すことが出来る。
【実施例２】
【００１９】
連通部２１としては、図４（ａ）に示すように裏蓋８に切欠９を設けることによって形成してもよい。この場合、切欠９は窓枠４に至るまで貫通させ、通気シート６における空気の流通路に連通させる。この他、同図（ｂ）のように枠体２側に切欠９を設けても同様の効果が得られる。額縁１は裏面を壁面等に接して掲げられる場合もあるため、図の鎖線で示す部分を切り欠いておくことにより、切欠９と連通させるのが好ましい。
【図面の簡単な説明】
【００２０】
【図１】本発明に係る額縁の一実施例を示す分解斜視図である。（実施例１）
【図２】本発明に係る額縁の正面図である。
【図３】本発明に係る額縁の断面図及び部分拡大断面図である。
【図４】（ａ）（ｂ）は、それぞれ本発明に係る額縁の他の実施例を示す部分背面図である。（実施例２）
【符号の説明】
【００２１】
１  額縁
２  枠体
２１  連通部
３  透明板
４  窓枠
５  表示シート
６  通気シート
６１  突条
７  間挿材
８  裏蓋
９  切欠
【図１】
0004577790.tif 000002
【図２】
0004577790.tif 000003
【図３】
0004577790.tif 000004
【図４】
0004577790.tif 000005